【手続補正書】
【提出日】令和3年11月5日(2021.11.5)
【手続補正１】
【補正対象書類名】特許請求の範囲
【補正対象項目名】全文
【補正方法】変更
【補正の内容】
【特許請求の範囲】
【請求項１】
第１のレンズユニットと、
前記第１のレンズユニットを保持する第１のレンズ保持部材と、
前記第１のレンズ保持部材に設けられた第１の係合部に係合する第１のカム部を有し、光軸回りで回転することにより前記第１のレンズ保持部材を光軸方向に移動させる第１のカム部材と、
第２のレンズユニットと、
前記第２のレンズユニットを保持する第２のレンズ保持部材と、
前記第２のレンズ保持部材に設けられた第２の係合部に係合する第２のカム部を有し、前記光軸回りで回転することにより前記第２のカム部を介して前記第２のレンズ保持部材を前記光軸方向に移動させる第２のカム部材と、
第３のレンズユニットを保持し、前記第１のカム部材に設けられた第４のカム部に係合する第４の係合部を有する第３のレンズ保持部材と、
第４のレンズユニットを保持する第４のレンズ保持部材とを有し、
前記第１のレンズ保持部材と前記第２のカム部材のうち一方に設けられた第３の係合部が他方に設けられた第３のカム部に係合しており、
前記第２のカム部材は、前記第１のカム部材の回転が伝達されて回転して前記第３のカム部により前記光軸方向に移動され、
前記第４のレンズ保持部材は、前記第１のレンズ保持部材と前記第３のレンズ保持部材とにより保持されたガイドバーによって前記光軸方向に移動可能に支持されていることを特徴とするレンズ鏡筒。
【請求項２】
第１のレンズユニットと、
前記第１のレンズユニットを保持する第１のレンズ保持部材と、
前記第１のレンズ保持部材に設けられた第１の係合部に係合する第１のカム部を有し、光軸回りで回転することにより前記第１のレンズ保持部材を光軸方向に移動させる第１のカム部材と、
第２のレンズユニットと、
前記第２のレンズユニットを保持する第２のレンズ保持部材と、
前記第２のレンズ保持部材に設けられた第２の係合部に係合する第２のカム部を有し、前記光軸回りで回転することにより前記第２のカム部を介して前記第２のレンズ保持部材を前記光軸方向に移動させる第２のカム部材と、
前記第１のカム部材を回転可能に支持するベース部材とを有し、
前記第１のレンズ保持部材と前記第２のカム部材のうち一方に設けられた第３の係合部が他方に設けられた第３のカム部に係合しており、
前記第２のカム部材は、前記第１のカム部材の回転が伝達されて回転して前記第３のカム部により前記光軸方向に移動され、
前記ベース部材は、前記レンズ鏡筒に外力が作用したときに、前記第２のカム部材に設けられた突起部が当接する受け部を有することを特徴とするレンズ鏡筒。
【請求項３】
第１のレンズユニットと、
前記第１のレンズユニットを保持する第１のレンズ保持部材と、
前記第１のレンズ保持部材に設けられた第１の係合部に係合する第１のカム部を有し、光軸回りで回転することにより前記第１のレンズ保持部材を光軸方向に移動させる第１のカム部材と、
第２のレンズユニットと、
前記第２のレンズユニットを保持する第２のレンズ保持部材と、
前記第２のレンズ保持部材に設けられた第２の係合部に係合する第２のカム部を有し、前記光軸回りで回転することにより前記第２のカム部を介して前記第２のレンズ保持部材を前記光軸方向に移動させる第２のカム部材と、
第３のレンズユニットを保持し、前記第１のカム部材に設けられた第４のカム部に係合する第４の係合部を有する第３のレンズ保持部材と、
第４のレンズユニットを保持する第４のレンズ保持部材とを有するレンズ鏡筒を有する光学機器であって、
前記第１のレンズ保持部材と前記第２のカム部材のうち一方に設けられた第３の係合部が他方に設けられた第３のカム部に係合しており、
前記第２のカム部材は、前記第１のカム部材の回転が伝達されて回転して前記第３のカム部により前記光軸方向に移動され、
前記第４のレンズ保持部材は、前記第１のレンズ保持部材と前記第３のレンズ保持部材とにより保持されたガイドバーによって前記光軸方向に移動可能に支持されていることを特徴とする光学機器。
【請求項４】
第１のレンズユニットと、
前記第１のレンズユニットを保持する第１のレンズ保持部材と、
前記第１のレンズ保持部材に設けられた第１の係合部に係合する第１のカム部を有し、光軸回りで回転することにより前記第１のレンズ保持部材を光軸方向に移動させる第１のカム部材と、
第２のレンズユニットと、
前記第２のレンズユニットを保持する第２のレンズ保持部材と、
前記第２のレンズ保持部材に設けられた第２の係合部に係合する第２のカム部を有し、前記光軸回りで回転することにより前記第２のカム部を介して前記第２のレンズ保持部材を前記光軸方向に移動させる第２のカム部材と、
前記第１のカム部材を回転可能に支持するベース部材とを有するレンズ鏡筒を有する光学機器であって、
前記第１のレンズ保持部材と前記第２のカム部材のうち一方に設けられた第３の係合部が他方に設けられた第３のカム部に係合しており、
前記第２のカム部材は、前記第１のカム部材の回転が伝達されて回転して前記第３のカム部により前記光軸方向に移動され、
前記ベース部材は、前記レンズ鏡筒に外力が作用したときに、前記第２のカム部材に設けられた突起部が当接する受け部を有することを特徴とする光学機器。
【手続補正２】
【補正対象書類名】明細書
【補正対象項目名】０００６
【補正方法】変更
【補正の内容】
【０００６】
本発明の一側面としてのレンズ鏡筒は、第１のレンズユニットと、該第１のレンズユニットを保持する第１のレンズ保持部材と、該第１のレンズ保持部材に設けられた第１の係合部に係合する第１のカム部を有し、光軸回りで回転することにより第１のレンズ保持部材を光軸方向に移動させる第１のカム部材と、第２のレンズユニットと、該第２のレンズユニットを保持する第２のレンズ保持部材と、該第２のレンズ保持部材に設けられた第２の係合部に係合する第２のカム部を有し、光軸回りで回転することにより第２のカム部を介して第２のレンズ保持部材を光軸方向に移動させる第２のカム部材と、第３のレンズユニットを保持し、第１のカム部材に設けられた第４のカム部に係合する第４の係合部を有する第３のレンズ保持部材と、第４のレンズユニットを保持する第４のレンズ保持部材とを有する。第１のレンズ保持部材と第２のカム部材のうち一方に設けられた第３の係合部が他方に設けられた第３のカム部に係合している。第２のカム部材は、第１のカム部材の回転が伝達されて回転して第３のカム部により光軸方向に移動される。第４のレンズ保持部材は、第１のレンズ保持部材と第３のレンズ保持部材とにより保持されたガイドバーによって光軸方向に移動可能に支持されていることを特徴とする。
本発明の他の一側面としてのレンズ鏡筒は、第１のレンズユニットを保持する第１のレンズ保持部材と、第１のレンズ保持部材に設けられた第１の係合部に係合する第１のカム部を有し、光軸回りで回転することにより第１のレンズ保持部材を光軸方向に移動させる第１のカム部材と、第２のレンズユニットと、第２のレンズユニットを保持する第２のレンズ保持部材と、第２のレンズ保持部材に設けられた第２の係合部に係合する第２のカム部を有し、光軸回りで回転することにより第２のカム部を介して第２のレンズ保持部材を光軸方向に移動させる第２のカム部材と、第１のカム部材を回転可能に支持するベース部材とを有する。第１のレンズ保持部材と第２のカム部材のうち一方に設けられた第３の係合部が他方に設けられた第３のカム部に係合している。第２のカム部材は、第１のカム部材の回転が伝達されて回転して第３のカム部により光軸方向に移動される。ベース部材は、レンズ鏡筒に外力が作用したときに、第２のカム部材に設けられた突起部が当接する受け部を有することを特徴とする。